(57)【特許請求の範囲】
【請求項１】
上掛け１の表面１ａから裏面１ｂに連続した吊り具通し穴１ｃを通して上掛け１に固定される上掛け固定部５と、その上掛け固定部５を吊り下げる吊り下げ部材６を備え、
前記上掛け固定部５は、上掛け１の裏面１ｂに接して上掛け１を支持する支持部材５０と、前記支持部材５０と分離、連結自在に連結され上掛け１の表面１ａに当接して上掛け１を押さえる押え部材６０を有する構成で、
前記支持部材５０と前記押え部材６０は、前記吊り具通し穴１ｃを通して相互に螺合して連結され、前記上掛け１の裏面１ｂと表面１ａに接して前記上掛け１を挟持して固定することを特徴とする上掛け吊り具。
【請求項２】
請求項１に記載された上掛け吊り具において、
前記支持部材５０は前記上掛け１の裏面１ｂに接して支持する支持プレート５１を有し、
前記押え部材６０は、前記上掛け１の表面１ａに接して押える押えプレート６１を有する上掛け吊り具。
【請求項３】
請求項２に記載された上掛け吊り具において、
前記支持部材５０は、上掛け１の裏面１ｂに接する支持プレート５１と、ボルト５２を有し、
前記ボルト５２は、前記支持プレート５１の穴５１ａから前記上掛け１の吊り具通し穴１ｃを通る螺子部５２ａと、前記支持プレート５１の穴５１ａを通らないボルト頭部５２ｂを備え、
前記押え部材６０は、前記上掛け１の表面１ａに接し、前記ボルト５２の螺子部５２ａが通る穴６１ａを有する押えプレート６１と、前記ボルト５２の螺子部５２ａに螺合するナット６２を備えている上掛け吊り具。
【請求項４】
請求項３に記載された上掛け吊り具において、
前記支持部材５０のボルト５２は、ボルト回転部５２ｃを備え、
前記押え部材６０のナット６２は、吊り下げ部材連結部６３を有し、その吊り下げ部材連結部６３は前記ナット６２を回転する機能を有する上掛け吊り具。
【発明の詳細な説明】
【技術分野】
【０００１】
本発明は、寝具の上掛けを吊り下げ保持する上掛け吊り具に関する。
【背景技術】
【０００２】
ベッドや布団などの寝具に寝ている人が、上半身を起こしたり、その上半身を起こした姿勢から再び寝たりする寝起き動作は苦しいことである。
特に、高齢者、身体不自由の人、病人、けがの人などにとっては、前述の寝起き動作は大変苦しく、介護人の手助けがなければ寝起き動作ができないことがある。
このことを解消し寝起き動作を楽にできるようにした寝具用寝起き補助装置が特許文献１に開示されている。
この寝具用寝起き補助装置は、支持部材と取り付け部材と上掛け保持部材を備え、上掛け保持部材の上掛け吊り具で上掛けを吊り下げ保持し、寝起き動作を楽にできるようにしている。
【先行技術文献】
【特許文献】
【０００３】
【特許文献１】特許第５２９４４８６号公報
【発明の概要】
【発明が解決しようとする課題】
【０００４】
従来の寝具用寝起き補助装置は、上掛け吊り具で上掛けを吊り下げ保持するが、その上掛け吊り具で上掛けをどのようにして吊り下げ保持するかが問題で、本発明者等は、上掛け吊り具を吊り紐とし、その吊り紐の端部を上掛けの表面、つまり、寝具に寝ている人に触れる側の裏面と反対の面に縫い付けることで吊り下げ保持した。
このように吊り下げ保持したところ、上掛けの重さで吊り紐の縫い付け部分が破れ、吊り紐から上掛けが外れて落ちることがあった。つまり、吊り紐を上掛けの表面に縫い付けるようにしたのでは、上掛け吊り具と上掛けとの固定が弱く、縫い付け部分が破れ、上掛けが外れて落ちることがある。
また、上掛けは洗濯したり、冬には保温性が良い上掛けを用い、夏には涼しい上掛けを用いることがあり、その都度上掛け吊り具を上掛けから取り外したり、取り付けたりするが、吊り紐を上掛けに縫い付けるのでは、上掛け吊り具を上掛けから取り外したり、上掛けに取り付けたりすることが面倒である。つまり、上掛け吊り具の取り付け、取り外しが面倒である。
【０００５】
本発明は、前述の課題を解決するために成されたもので、その目的は、上掛けとしっかり固定できると共に、簡単に取り付け、取り外しできる上掛け吊り具を提供することである。
【課題を解決するための手段】
【０００６】
本発明は、上掛け１の表面１ａから裏面１ｂに連続した吊り具通し穴１ｃを通して上掛け１に固定される上掛け固定部５と、その上掛け固定部５を吊り下げる吊り下げ部材６を備え、
前記上掛け固定部５は、上掛け１の裏面１ｂに接して上掛け１を支持する支持部材５０と、前記支持部材５０と分離、連結自在に連結され上掛け１の表面１ａに当接して上掛け１を押さえる押え部材６０を有する構成で、前記支持部材５０と前記押え部材６０は、前記吊り具通し穴１ｃを通して相互に螺合して連結され、前記上掛け１の裏面１ｂと表面１ａに接して前記上掛け１を挟持して固定する構成であることを特徴とする上掛け吊り具である。
【０００８】
本発明の上掛け吊り具においては、前記支持部材５０は前記上掛け１の裏面１ｂに接して支持する支持プレート５１を有し、前記押え部材６０は、前記上掛け１の表面１ａに接して押える押えプレート６１を有する構成とすることが出来る。
このようにすれば、上掛け１の表面１ａ，裏面１ｂが布地であっても傷を付けることがなく、しかも吊り具通し穴１ｃの周縁の糸がほどけることがない。
【０００９】
本発明の上掛け吊り具においては、前記支持部材５０は、上掛け１の裏面１ｂに接する支持プレート５１と、ボルト５２を有し、前記ボルト５２は、前記支持プレート５１の穴５１ａから前記上掛け１の吊り具通し穴１ｃを通る螺子部５２ａと、前記支持プレート５１の穴５１ａを通らないボルト頭部５２ｂを備え、前記押え部材６０は、前記上掛け１の表面１ａに接し、前記ボルト５２の螺子部５２ａが通る穴６１ａを有する押えプレート６１と、前記ボルト５２の螺子部５２ａに螺合するナット６２を備えている構成とすることができる。
このようにすれば、ボルト５２の螺子部５２ａとナット６２を螺合して締め付け回転して上掛け１を挟持するので、厚さが若干異なる上掛けを挟持できる。
【００１０】
本発明の上掛け吊り具においては、前記支持部材５０のボルト５２は、ボルト回転部５２ｃを備え、前記押え部材６０のナット６２は、吊り下げ部材連結部６３を有し、その吊り下げ部材連結部６３は前記ナット６２を回転する機能を有する構成とすることができる。
このようにすれば、支持部材５０と押え部材６０を人の手により回転できるから、回転工具を用いずに支持部材５０と押え部材６０を連結、分離でき、上掛け吊り具の取り付け、取り外しがやり易い。
【発明の効果】
【００１１】
本発明の上掛け吊り具によれば、上掛け１としっかり固定できると共に、簡単に取り付け、取り外しできる。
また、支持部材５０と押え部材６０を簡単に連結、分離できる。
【図面の簡単な説明】
【００１２】
【図１】本発明の実施形態に係る上掛け吊り具で吊り下げ保持する上掛けの使用状態を示す概略平面図である。
【図２】図１のＡ−Ａ断面図である。
【図３】本発明の実施形態に係る上掛け吊り具を示す分解斜視図である。
【図４】本発明の実施形態に係る上掛け吊り具を用いて上掛けを吊り下げ保持した状態の断面図である。
【図５】紐ストッパーの断面図である。
【図６】本発明の上掛け吊り具の他の実施の形態を示す断面図である。
【発明を実施するための形態】
【００１３】
本発明の実施形態に係る上掛け吊り具で吊り下げ保持する上掛けの一例を図１と図２に基づいて説明する。
図１は本発明の実施形態に係る上掛け吊り具で吊り下げ保持する上掛けの使用状態を示す概略平面図、図２は図１のＡ―Ａ断面図である。
上掛け１は、使用状態において所定の長さと幅と厚さを有する平面矩形状である。長さとは寝具に寝る人の身長方向の寸法である。幅とは長さ方向と直角方向の寸法である。上掛け１は柔軟性を有し、使用しない時に２つに折り畳んだり、３つに折り畳んだり出来る。
【００１４】
上掛け１は、その表面１ａから裏面１ｂに連続した吊り具通し穴１ｃを有している。
吊り具通し穴１ｃは、上掛け１の幅方向両側寄り部に長さ方向に基準のピッチ（基準の間隔）でそれぞれ複数有している。
上掛け１は、掛け布団２と掛け布団カバー３を備えている。掛け布団カバー３は表面布地３０と裏面布地３１を有した袋状で、表面布地３０が掛け布団２の表面２ａを被覆し、裏面布地３１が掛け布団２の裏面２ｂを被覆している。
表面布地３０が上掛け１の表面１ａで、裏面布地３１が上掛け１の裏面１ｂである。
なお、掛け布団カバー３の一部分は、掛け布団２を出し入れできるように不連続で、その不連続部分はファスナー、ホック、ボタンなどで閉じることが出来るようにしてある。
【００１５】
上掛け１の吊り具通し穴１ｃの数は寝具に寝る人の身長、体格、寝具を敷く場所等に応じて増減する。これにより、幼児、子供、障害者、ダブルベット用の上掛け１を作成できる。
吊り具通し穴１ｃは、掛け布団カバー３の表面布地３０と掛け布団２と掛け布団カバー３の裏面布地３１に連続している。
つまり、この実施形態の上掛け１は、掛け布団２と掛け布団カバー３を備えているので、掛け布団２と掛け布団カバー３に連続して上掛け１の吊り具通し穴１ｃが形成してある。
【００１６】
掛け布団カバー３としては、表面布地３０の中央部分が大きく開口し、その開口を上掛け吊り具が通る掛け布団カバーや、裏面布地３１のみを有した掛け布団カバーなどがある。これらの掛け布団カバーは、掛け布団２と裏面布地３１に連続して吊り具通し穴１ｃを有している。また、裏面布地３１のみを有した掛け布団カバーを有した上掛けは、その掛け布団２の表面２ａにおける寝る人の首が触れる部分に、カバーをファスナー、ホック、ボタンなどを用いて取り外し可能に取り付けることが出来る。上掛け１としては、掛け布団２のみで掛け布団カバー３を備えていない上掛けがある。この上掛け１は掛け布団２に吊り具通し穴１ｃを有する。
【００１７】
図３は、本発明の実施形態に係る上掛け吊り具を示す分解斜視図である。
本実施形態の上掛け吊り具を図３に基づいて説明する。本上掛け吊り具４は、上掛け１を吊り具通し穴１ｃを通して吊り下げ保持する。
即ち、上掛け吊り具４は、上掛け１の吊り具通し穴１ｃを通して上掛け１と固定される上掛け固定部５と、その上掛け固定部５を吊り下げる吊り下げ部材６を備えている。
上掛け固定部５は、上掛け１の裏面１ｂに接して上掛け１を支持する支持部材５０と、支持部材５０と分離、連結自在に連結され上掛け１の表面１ａに接して上掛け１を押さえる押え部材６０を有する。つまり、上掛け固定部５は上掛け１の表面１ａと裏面１ｂを狭持して上掛け１と固定される。
【００１８】
吊り下げ部材６は、吊り紐、吊り鎖、吊りロッド、吊り金具等で、その下部が上掛け固定部５に連結され、上部が図示しない寝具用寝起き補助装置の取付部材に連結される。
このように、上掛け吊り具４は上掛け１にしっかりと固定できる。
また、支持部材５０と押え部材６０を分離すれば上掛け１から取り外すことができ、支持部材５０と押え部材６０を連結すれば上掛け１に取り付けることができるから、上掛け吊り具４を上掛け１に簡単に取り付け、取り外しできる。
【００１９】
支持部材５０は、吊り具通し穴１ｃの内径より大径で、上掛け１の裏面１ｂにおける吊り具通し穴１ｃの周囲に接する支持プレート５１と、ボルト５２を有している。
ボルト５２は支持プレート５１の中心にあけられた穴５１ａを通る螺子部５２ａと、螺子部５２ａより大径で支持プレート５１の穴５１ａを通らないボルト頭部５２ｂと、ボルト頭部５２ｂに設けたボルト５２を回転するためのボルト回転部５２ｃを備えている。図３に示すボルト回転部５２ｃは、ほぼ円形でボルト５２の長手方向に向かう摘み片形状である。つまり図３に示すボルト５２は団扇ボルトと呼ばれるものである。
【００２０】
押え部材６０は、吊り具通し穴１ｃの内径より大径で、上掛け１の表面１ａにおける吊り具通し穴１ｃの周囲に接する押えプレート６１と、押えプレート６１の中心にあけられた穴６１ａの内径より大径で、螺子部５２ａが螺合するナット６２と、ナット６２に設けた吊り下げ部材連結部６３を備えている。図３に示す吊り下げ部材連結部６３はリング形状で、図３に示す押え部材６０はアイナットと呼ばれるものである。
【００２１】
支持部材５０と押え部材６０は次のようにして上掛け１に固定して上掛け吊り具４を上掛け１に取り付ける（図４参照）。
支持部材５０の支持プレート５１の穴５１ａに螺子部５２ａを通し、ボルト頭部５２ｂを支持プレート５１に当接する。その状態で螺子部５２ａを上掛け１の下から吊り具通し穴１ｃに通し、支持プレート５１を上掛け１の裏面１ｂに当接する。螺子部５２ａは上掛け１の表面１ａから上方に突出する。
押え部材６０の押えプレート６１の穴６１ａに螺子部５２ａを通して、押えプレート６１を上掛け１の表面１ａに当接し、ナット６２を螺子部５２ａに螺合して締め付け、支持プレート５１を上掛け１の裏面１ｂに当接すると共に、押えプレート６１を上掛け１の表面１ａに当接して支持プレート５１と押えプレート６１で上掛け１を挟んで固定し、上掛け固定部５を上掛け１に取り付ける。
【００２２】
このようにボルト５２とナット６２を螺合し、緩めることで、支持部材５０と押え部材６０を簡単に連結、分離できるから、上掛け吊り具４を上掛け１に簡単に取り付け、取り外しできる。
また、ボルト５２とナット６２の締め付け回転を調整することで、支持部材５０と押え部材６０の間隔が変わるので、厚さが若干異なる上掛け１を挟持して固定できる。
上掛け１の厚さが大きく異なる場合は、上掛け１の厚さに応じた長さの螺子部５２ａを有したボルト５２を用いる。
【００２３】
また、上掛け１の裏面１ｂは支持プレート５１で支持され、表面１ａは押えプレート６１で押えられるので、上掛け１の表面１ａ、裏面１ｂを傷つけることがなく、しかも吊り具通し穴１ｃの周縁がほどけることがない。
つまり、上掛け１の表面１ａ、裏面１ｂは布地であるからボルト５２、ナット６２が表面１ａ，裏面１ｂに当接すると、表面１ａ，裏面１ｂの布地を傷つけることがあり、しかも吊り具通し穴１ｃの周縁の糸がほどけることがある。
次に、吊り下げ部材６と吊り下げ部材連結部６３との連結について説明する。
即ち、吊り下げ部材６は吊り下げ部材連結部６３に次のように連結される。
吊り下げ部材６を吊り紐８とする。その吊り紐８の下端部分８ａを紐ストッパー７の一方の穴に通し、リング形状の吊り下げ部材連結部６に掛けて上に持ち上げ、持ち上げ部分８ｂを紐ストッパー７の他方の穴に通して吊り紐８の下端部分８ａと吊り紐の持ち上げ部分８ｂを紐ストッパー７で連結する。
【００２４】
紐ストッパー７は、図５に示すように、筒状の本体７０と、その本体７０に移動可能にはめ込みした移動体７１を備えている。
本体７０は第１穴７０ａと第２穴７０ｂを有し、移動体７１は第３穴７１ａと第４穴７１ｂを有している。移動体７１は第３穴７１ａ、第４穴７１ｂが本体７０の第１穴７０ａ、第２穴７０ｂに同心で一列に連続する紐通し位置と、穴の中心がずれた紐保持位置とに移動可能で、ばね（ここではコイルばね）７２で紐保持位置に向けて移動されている。移動体７１は押すことでばね７２の力に抗して紐通し位置に移動する。
【００２５】
吊り紐８の下端部分８ａと持ち上げ部分８ｂは、次のようにして紐ストッパー７で連結される。
まず、移動体７１を手で押して紐通し位置に保持する。その状態で吊り紐８の下端部分８ａを第１穴７０ａと第３穴７１ａに通し、さらにリング形状の吊り下げ部材連結部６３に掛けて上に持ち上げ、持ち上げ部分８ｂを紐ストッパー７の第２穴７０ｂと第４穴７１ｂに通し、移動体７１から手を離す。移動体７１はばね７２で紐保持位置に移動し、吊り紐８の下端部分８ａ、持ち上げ部分８ｂが本体７０と移動体７１とで挟まれ、吊り紐８の下端部分８ａと持ち上げ部分８ｂが紐ストッパー７で連結される。
これにより、上掛け１が上掛け吊り具４で吊り下げ保持される。
【００２６】
吊り紐８の下端部分８ａと持ち上げ部分８ｂを紐ストッパー７で連結した状態で、移動体７１を押して紐通し位置とし、吊り紐８の持ち上げ部分８ｂを紐ストッパー７から引き上げることで上掛け吊り具４とともに上掛け１が上に移動する。また、吊り紐８の持ち上げ部分８ｂを紐ストッパー７から下げることで上掛け吊り具４とともに上掛け１が下に移動する。
このように、上掛け１の吊り下げ高さを簡単に調整できる。
次に、上掛け吊り具４の上掛け１からの取り外しについて説明する。
上掛け吊り具４は上掛け１から次のようにして取り外しする。
押え部材６０のナット６２を緩める方向に回転して螺子部５２ａから外し、螺子部５２ａを上掛け１の吊り具通し穴１ｃから抜き出すことで上掛け吊り具４を上掛け１から取り外しできる。
このように、上掛け吊り具４を上掛け１から簡単に取り外しできる。
【００２７】
図３に示す上掛け吊り具４は、支持部材５０のボルト回転部５２ｃを人の手の指で持つことで支持部材５０のボルト５２を回転したり、回転しないようにでき、押え部材６０のナット６２は吊り下げ部材連結部６３を人の手の指で持つことで回転したり、回転しないようにできる。
これにより、回転工具を用いずに上掛け吊り具４を上掛け１に取り付け、取り外しできる。
なお、支持部材５０のボルト５２と押え部材６０のナット６２のどちらか一方又は両方を回転工具で回転するようにしてもよい。
【００２８】
また、図３に示す上掛け吊り具４は、押え部材６０が吊り下げ部材連結部６３を有するので、その吊り下げ部材連結部６３は吊り具通し穴１ｃを通ることがなく、かつ吊り下げ部材連結部６３は吊り具通し穴１ｃの内径より大きいものにでき、吊り下げ部材連結部６３に吊り下げ部材６を簡単に連結できる。
吊り下げ部材連結部６３は、支持部材５０のボルト５２の螺子部５２ａに設けることが出来る。例えば、螺子部５２ａがナット６２より上に突き出すようにし、そのネジ部５２の突き出した部分に穴をあけ、その穴に吊り下げ部材６を通して連結する。
【００２９】
図６は、上掛け吊り具４の他の実施の形態を示す。
上掛け固定部５の支持部材５０は、支持プレート５１と、ナット５３を備えている。ナット５３にナット回転部５４が設けてある。ナット５３の螺子孔５３ａはナット５３の上下の面に開口し、ナット回転部５４の螺子孔５３ａと連続した部分に切り欠き５４ａを有する。
上掛け固定部５の押え部材６０は、押えプレート６１と、ボルト６４を備えている。
ボルト６４は、押えプレート６１の穴６１ａと上掛け１の吊り具通し穴１ｃを通る螺子部６４ａと、押えプレート６１の穴６１ａを通らないボルト頭部６４ｂを有している。ボルト頭部６４ｂに吊り下げ部材連結部６３が設けてある。
【００３０】
上掛け１の表面１ａに押えプレート６１を載せ、押えプレート６１の穴６１ａからボルト６４の螺子部６４ａを上掛け１の吊り具通し穴１ｃに通して上掛け１の裏面１ｂより突き出す。
上掛け１の裏面１ｂより突き出た螺子部６４ａに、支持プレート５１の穴５１ａを通して、支持プレート５１を上掛け１の裏面１ｂに押し付け保持する。この状態でナット５３を螺子部６４ａに螺合して締め付け、支持プレート５１と押えプレート６１で上掛け１を挟持して上掛け固定部５を上掛け１に固定する。
吊り下げ部材６は先の実施形態と同様に押え部材６０に連結する。
【００３１】
図３に示す実施形態の支持部材５０のボルト５２、押え部材６０のナット６２と吊り下げ部材連結部６３及び図６に示す実施形態の支持部材５０のナット５３とナット回転部５４、押え部材６０のボルト６４と吊り下げ部材連結部６３は、それぞれ金属製であるが、樹脂製とすることができる。
支持プレート５１、押えプレート６１は樹脂製であるが、金属製とすることができる。
【符号の説明】
【００３２】
１…上掛け、１ａ…表面、１ｂ…裏面、１ｃ…吊り具通し穴、４…上掛け吊り具、５…上掛け固定部、６…吊り下げ部材、５０…支持部材、５１…支持プレート、５２…ボルト、５２ａ…螺子部、５２ｂ…ボルト頭部、５２ｃ…ボルト回転部、５３…ナット、５４…ナット回転部、６０…押え部材、６１…押えプレート、６２…ナット、６３…吊り下げ部材連結部、６４…ボルト、６４ａ…螺子部、６４ｂ…ボルト頭部。
【図１】
0006289544.tif 000002
【図２】
0006289544.tif 000003
【図３】
0006289544.tif 000004
【図４】
0006289544.tif 000005
【図５】
0006289544.tif 000006
【図６】
0006289544.tif 000007